(57)【要約】【課題】  通常又はセルフのチェックアウトに対応したアプリケーションに容易に切り替えること。【解決手段】  チェックアウト端末本体の少なくとも一部がセルフモード時のポジション又は通常モード時のポジションのいずれかに停止したのかを判定し、この判定結果に応じて切替手段により通常又はセルフモードとして使用するチェックアウト処理のアプリケーションに切り替える。【選択図】  図３
2011191930.tif 000002
【特許請求の範囲】
【請求項１】
チェックアウト処理を実行するチェックアウト端末本体と、
前記チェックアウト端末本体の少なくとも一部を回転可能に支持し、少なくとも２つのポジションで停止可能な回転機構と、
前記チェックアウト端末本体の少なくとも一部がいずれかの前記ポジションで停止したのかを判定する判定手段と、
前記判定手段の判定結果に応じて通常又は前記セルフモードとして使用する前記チェックアウト処理のアプリケーションに切り替える切替手段と、
を具備することを特徴とするチェックアウト処理装置。
【請求項２】
前記チェックアウト端末本体は、少なくとも前記チェックアウト処理中及び処理後のチェックアウト処理画面を表示する表示部を備え、
前記切替手段は、前記通常又は前記セルフモードとして使用する前記アプリケーションの切り替えに応じて前記表示部に表示する前記通常又は前記セルフモードに応じたチェックアウト処理画面に切り替える、
ことを特徴とする請求項１記載のチェックアウト処理装置。
【請求項３】
前記チェックアウト端末本体は、少なくとも操作端末及び前記表示部を備えた第１の端末本体と、少なくとも前記操作端末の操作を受けて前記チェックアウト処理を実行する制御処理部を備えた第２の端末本体とから成り、
前記回転機構は、前記第２の端末本体をベースとして前記第１の端末本体を回転可能に支持し、
前記判定手段は、前記第１の端末本体が前記通常又は前記セルフモードのいずれかに対応する前記ポジションに停止したのかを判定し、
前記切替手段は、前記判定手段の判定結果に応じて前記通常又は前記セルフモードに応じた前記チェックアウト処理画面に切り替える、
ことを特徴とする請求項２記載のチェックアウト処理装置。
【請求項４】
管理者識別番号を少なくとも１つ保持する記憶部をさらに備え、
前記切替手段は、外部から入力される識別番号が前記記憶部に記憶されている前記管理者識別番号と一致するか否かを判定し、一致する場合、前記チェックアウト処理のアプリケーションを切り替える、
ことを特徴とする請求項２乃至３のうちいずれか１項記載のチェックアウト処理装置。
【請求項５】
前記切替手段は、外部から前記識別番号が入力される前に前記判定部により前記ポジションの変更があったと判定した場合、前記表示部に対して警告を表示させることを特徴とする請求項４記載のチェックアウト処理装置。
【請求項６】
通常又はセルフモードのチェックアウト処理に切り替え可能なチェックアウト端末本体のコンピュータに、
前記チェックアウト端末本体の少なくとも一部を回転可能に支持する回転機構によって前記チェックアウト端末本体の少なくとも一部がいずれかの前記ポジションで停止したのかを判定する判定機能と、
前記判定機能の判定結果に応じて前記通常又は前記セルフモードとして使用する前記チェックアウト処理のアプリケーションに切り替えるアプリケーション切替機能と、
を実現することを特徴とするチェックアウト処理プログラム。
【発明の詳細な説明】
【技術分野】
【０００１】
本発明の実施形態は、お客自身によって商品のチェックアウト（登録・精算）処理を可能とするチェックアウト処理装置及びチェックアウト処理プログラムに関する。
【背景技術】
【０００２】
商品に付されたバーコードを読取って商品を登録し、登録した商品の値段を集計して合計金額を算出し、商品の取引を行う精算処理を実施するチェックアウト装置がある。このチェックアウト装置は、通常、店舗の担当者（キャッシャー）が、登録・精算処理の操作を行う。また、お客自身が登録・精算処理の操作を行うセルフチェックアウト装置もある。近年、この通常のチェックアウト装置とセルフチェックアウト装置を兼ねる装置として、例えば特許文献１がある。
【発明の概要】
【発明が解決しようとする課題】
【０００３】
しかしながら、通常とセルフのチェックアウト装置の切り替えは、対応するアプリケーションを一々切り替える必要がある。  
本発明の目的は、通常又はセルフのチェックアウトに対応したアプリケーションに容易に切り替えることができるチェックアウト処理装置及びチェックアウト処理プログラムを提供することにある。
【課題を解決するための手段】
【０００４】
本発明の主要な局面に係るチェックアウト処理装置は、チェックアウト処理を実行するチェックアウト端末本体と、チェックアウト端末本体の少なくとも一部を回転可能に支持し、少なくとも２つのポジションで停止可能な回転機構と、チェックアウト端末本体の少なくとも一部がいずれかのポジションで停止したのかを判定する判定手段と、この判定手段の判定結果に応じて通常又はセルフモードとして使用するチェックアウト処理のアプリケーションに切り替える切替手段とを具備する。
【０００５】
本発明の主要な局面に係るチェックアウト処理プログラムは、通常又はセルフモードのチェックアウト処理に切り替え可能なチェックアウト端末本体にコンピュータに、チェックアウト端末本体の少なくとも一部を回転可能に支持する回転機構によってチェックアウト端末本体の少なくとも一部がいずれかのポジションで停止したのかを判定する判定機能と、判定機能の判定結果に応じて通常又はセルフモードとして使用するチェックアウト処理のアプリケーションに切り替えるアプリケーション切替機能とを実現する。
【図面の簡単な説明】
【０００６】
【図１】本発明に係るチェックアウト処理装置の一実施の形態を示す外観構成図。
【図２】同装置の分解構成図。
【図３】同装置における主な機能を示すブロック図。
【図４】同装置における通常モード時のチェックアウト処理画面の一例を示す図。
【図５】同装置におけるセルフモード時のチェックアウト処理画面の一例を示す図。
【図６】同装置におけるセルフモード時のチェックアウト処理画面の一例を示す図。
【図７】同装置におけるセルフモード時のチェックアウト処理画面の一例を示す図。
【図８】同装置におけるセルフモード時のチェックアウト処理画面の一例を示す図。
【図９】同装置におけるアプリケーション切り替えフローチャート。
【発明を実施するための形態】
【０００７】
以下、本発明の一実施の形態について図面を参照して説明する。  
図１はチェックアウト処理装置の外観図を示す。本装置は、通常又はセルフモードのチェックアウト（登録・精算）処理に切り替え可能である。通常モードのチェックアウト処理は、例えば店舗のキャッシャーによって操作されるモードで、商品に付されているバーコード等のデータコードを読み取り、このデータコードと対応する商品名、単価、個数等から合計金額を算出し、お客との取引確定後に合計金額等をレシートに印字出力する。セルフモードのチェックアウト処理は、上記通常のチェックアウト処理と同様の処理をお客自身の操作により行う。本装置は、例えば電子キャッシュレジスタとして使用されたり、又は例えばＰＯＳサーバと接続することによりＰＯＳシステムを構築可能である。
【０００８】
本装置は、本体ベース部（第２の端末本体）１０と、この本体ベース部１０の上部に矢印Ａ方向に回転可能に設けられたオペレータユニット部（第１の端末本体）２０とから成る。図１はセルフモード時におけるオペレータユニット部２０の配置向きを示す。本体ベース部１０の各サイドには、それぞれ買い物籠置き台１１と商品袋詰め台１２とが設けられている。これら買い物籠置き台１１と商品袋詰め台１２とは、通常モード時の商品の流れ方向Ｂとセルフモード時の商品の流れ方向Ｃに沿って配置されている。
【０００９】
オペレータユニット部２０には、スキャナ部２１と、ディスプレイ２２と、レシートプリンタ２３と、コイン投入部２４と、紙幣投入・排出部２５と、お釣排出部２６と、ポール２７上に設けられた報知ランプ２８とが設けられている。スキャナ部２１は、オペレータユニット部２０に固定され、商品に付されているバーコード等のデータコードを読み取る。ディスプレイ２２は、チェックアウト処理中にスキャナ部２１により読み取られたデータコードに対応する商品名、単価、個数を表示し、かつチェックアウト処理後に全商品の合計金額、お釣の金額等のチェックアウト処理の画面を表示する。レシートプリンタ２３は、チェックアウト処理後の商品名、単価、個数やその合計金額、お釣の金額等をレシート用紙にプリントアウトする。コイン投入部２４は、キャッシャー又はお客により精算時にコインが投入される。紙幣投入・排出部２５は、キャッシャー又はお客による精算時に紙幣が投入され、かつ釣銭の紙幣が排出される。お釣排出部２６は、キャッシャー又はお客による精算時に釣銭のコインが排出される。報知ランプ２８は、本装置がチェックアウト処理の実行中に点灯する。
【００１０】
本体ベース部１０とオペレータユニット部２０との間には、図２に示す分解構成図のように回転機構としての一対のターンテーブル３０が設けられている。このターンテーブル３０は、オペレータユニット部２０を本体ベース部１０上で矢印Ａ方向に回転可能に支持し、かつ少なくとも２つのポジション、例えば図１に示すセルフモード時のポジションと、このポジションからオペレータユニット部２０を１８０°回転させた通常モード時のポジションとで停止可能である。オペレータユニット部２０を停止するポジションは、上記セルフモード時と通常モード時との２つのポジションに限らず、他の回転角度の複数のポジションで停止するようにしてもよい。このターンテーブル３０は、ベース側ターンテーブル３０ａとユニット側ターンテーブル３０ｂとから成り、これらターンテーブル３０ａ、３０ｂは、矢印Ｄ、Ｅに示すように互いに回転可能に設けられている。ベース側ターンテーブル３０ａは本体ベース部１０の上面１０ａに固定され、ユニット側ターンテーブル３０ｂはオペレータユニット部２０の下面２０ａに固定されている。
【００１１】
ベース側ターンテーブル３０ａとユニット側ターンテーブル３０ｂとには、それぞれポジションセンサ４０、４１が設けられている。これらポジションセンサ４０、４１は、オペレータユニット部２０がセルフモード時のポジション又は通常モード時のポジションを示すポジション信号を出力する。これらポジションセンサ４０、４１は、例えば、光を出力する投光部とこの投光部の出力光を受光する受光部とから成る光センサや、又はスイッチ本体とこのスイッチ本体を投入・遮断する機械的なスイッチ等から成る。光センサであれば、投光部と受光部とがそれぞれベース側ターンテーブル３０ａ又はユニット側ターンテーブル３０ｂに設けられる。
【００１２】
図３は本装置の制御処理部５０の主な機能のブロック図を示す。この制御処理部５０は、ＣＰＵから成る制御部５１を有する。この制御部５１には、スキャナ２１と、ディスプレイ２２と、タッチパネル２２ａと、各ポジションセンサ４０、４１とが接続されている。タッチパネル２２ａは、ディスプレイ２２の前面に設けられ、キャッシャー又はお客によりタッチ操作を受け、このタッチ操作の部位に対応する位置信号を出力する。又、制御部５１には、プログラムメモリ５２と、商品情報メモリ５３とが接続されている。
【００１３】
プログラムメモリ５２には、通常モード時及びセルフモード時におけるチェックアウト処理プログラムが予め記憶されている。このチェックアウト処理プログラムは、制御部５１に、通常モード時及びセルフモード時において、スキャナ２１によって読み取られたデータコードと対応する商品名、単価、個数等から合計金額を算出し、お客との取引確定後に合計金額等をレシートプリンタ２３によりレシートに印字出力する機能を実現する。  
又、チェックアウト処理プログラムは、制御部５１に、オペレータユニット部２０を回転可能に支持するターンテーブル３０によってオペレータユニット部２０がセルフモード時のポジション又は通常モード時のポジションのいずれかに停止したのかを判定する判定機能と、この判定機能の判定結果に応じて通常又はセルフモードとして使用するチェックアウト処理のアプリケーションに切り替えるアプリケーション切替機能とを実現する。  
商品情報メモリ５３には、各種の商品名、単価、割引率等の商品情報が予め記憶されている。
【００１４】
制御部５１は、プログラムメモリ５２に記憶されているチェックアウト処理プログラムを実行することにより登録・精算処理と、ポジション判定と、アプリケーション切替の各機能を有する。登録・精算処理機能は、通常モード時及びセルフモード時において、スキャナ２１によって読み取られたデータコードと対応する商品名、単価、個数等から合計金額を算出し、お客との取引確定後に合計金額等をレシートプリンタ２３によりレシートに印字出力する。
【００１５】
ポジション判定機能は、ポジションセンサ４０、４１から出力されるポジション信号を受け、このポジション信号からオペレータユニット部２０がセルフモード時のポジション又は通常モード時のポジションのいずれかにセッティングされたかを判定する。これは、例えば、ポジションセンサ４０がオン（ＯＮ）、ポジションセンサ４１がオフ（ＯＦＦ）の場合、セルフモード時のポジション、ポジションセンサ４０がＯＮ、ポジションセンサ４１がＯＮの場合、通常モード時のポジションであると判断する。
【００１６】
アプリケーション切替機能は、ポジション判定機能の判定結果を受け、この判定結果に応じて登録・精算処理機能により実行するチェックアウト処理のアプリケーションを通常又はセルフモードとして使用するいずれかのチェックアウト処理のアプリケーションに切り替え、かつ当該アプリケーションの切り替えに応じてディスプレイ２２に表示する通常又はセルフモードに応じたチェックアウト処理画面、例えば図４に示す通常モード時のチェックアウト処理画面Ｇと、図５乃至図８に示すセルフモード時の各チェックアウト処理画面Ｓ１〜Ｓ４とに切り替える。セルフモード時の各チェックアウト処理画面Ｓ１〜Ｓ４は、通常モード時のチェックアウト処理画面Ｇと比較して子供からお年寄りや初めて操作を行うお客に対して容易に操作できるような懇切丁寧なガイダンスを含んだ画面内容になっている。
【００１７】
図４に示す通常モード時のチェックアウト処理画面Ｇには、例えば、既に登録した各商品の商品名「ウーロン茶５００ｍｌ」、数量「３」、単価「１４７円」、金額「４４１円」等を表示する第１の登録欄Ｇ１と、登録したばかりの商品名「高原牛乳１０００ｍｌ」、数量「３」、金額「６８４円」等を表示する第２の登録欄Ｇ２と、登録したところまでの各商品の点数「１１」とその合計金額「１６４７円」等を表示する精算欄Ｇ３とが表示される。このように商品の登録は、スキャナ２１からの入力に基づくものであり、その操作方法のガイダンスは表示されない。従って、すばやい商品の登録が可能となる。
【００１８】
図５に示すセルフモード時のチェックアウト処理画面Ｓ１には、例えば、お客にバーコードが付されている商品の登録の仕方のガイダンス、例えば「商品のバーコードをガラス面に近づけてください」等や絵柄を表示する登録ガイダンス欄Ｋ１と、お客にバーコードが付されていない商品を登録するための商品選択欄Ｋ２と、既に登録した各商品の商品名「ポタージュ」、数量「１点」、単価「２５８円」等を表示する登録欄Ｋ３と、お客により登録したところまでの各商品の点数「２点」とその合計金額「３２６円」等を表示する精算欄Ｋ４と、精算処理を行うためのお会計ボタンＫ５とが表示される。
【００１９】
図６に示すセルフモード時のチェックアウト処理画面Ｓ２は、例えば、チェックアウト処理画面Ｓ１における商品選択欄Ｋ２の商品、例えば「やさい」にタッチしたときの画面である。このチェックアウト処理画面Ｓ２は、ガイダンス「商品のボタンを押してください」等を表示する登録ガイダンス欄Ｋ１と、上記商品選択欄Ｋ２と、「やさい」である各商品の各ボタンＦのやさい選択欄Ｋ６とを表示する。登録ガイダンス欄Ｋ１は、例えばやさい選択欄Ｋ６内の「商品のボタンを押してください」の旨を表示する。やさい選択欄Ｋ６は、「やさい」として例えば「きゅうり」等の各ボタンＦを表示する。これらボタンＦは、それぞれ「きゅうり」等の商品名と、「きゅうり」等の商品の写真と、その単価「６８円」とを表示する。
【００２０】
図７に示すセルフモード時のチェックアウト処理画面Ｓ３は、例えば、チェックアウト処理画面Ｓ２における例えば「きゅうり」のボタンＦがタッチされたときの当該「きゅうり」を登録するときの画面を表示する。このチェックアウト処理画面Ｓ３は、例えば、上記登録ガイダンス欄Ｋ１と、やさい確認欄Ｋ７とを表示する。登録ガイダンス欄Ｋ１は、ガイダンス「商品を袋に入れてください」とその絵柄とを表示する。やさい確認欄Ｋ７は、ボタンＦへのタッチにより選択された例えば「きゅうり」のみの商品名と、写真と、その単価「６８円」とを拡大表示する。
【００２１】
図８に示すセルフモード時のチェックアウト処理画面Ｓ４は、例えば、チェックアウト処理画面Ｓ１におけるお会計ボタンＫ５がタッチされたときの画面を示す。このチェックアウト処理画面Ｓ４は、ガイダンス「お金を投入してください」等の登録ガイダンス欄Ｋ１と、お会計の仕方のガイダンスを絵柄で表示する会計ガイダンス欄Ｋ８と、お会計の金額を表示するお会計金額欄Ｋ９と、精算に移行するための精算ボタンＫ１０とを表示する。
【００２２】
上記通常とセルフモードとの各チェックアウト処理アプリケーションは、同一のアプリケーションであり、通常モードのチェックアウト処理アプリケーションは、図４に示す通常モード時のチェックアウト処理画面Ｇの表示と、この画面Ｇへの商品の登録処理と、この登録処理後の精算処理とから成る。  
セルフモードのチェックアウト処理アプリケーションは、上記通常モードのチェックアウト処理アプリケーションの処理に対して、図５乃至図８に示すセルフモード時の各チェックアウト処理画面Ｓ１〜Ｓ４において例えば各絵柄や写真の処理を加えて成る。又、セルフモードのチェックアウト処理アプリケーションは、上記通常モードのチェックアウト処理アプリケーションの処理には無い図６乃至図８に示す各チェックアウト処理画面Ｓ２〜Ｓ４の処理等を加えて成る。
【００２３】
尚、セルフモードのチェックアウト処理アプリケーションは、上記各登録ガイダンス欄Ｋ１「商品のバーコードをガラス面に近づけてください」「商品のボタンを押してください」等を音声により報知することも可能である。  
アプリケーション切替機能は、通常又はセルフモードのチェックアウト処理のアプリケーションに切り替える際、スキャナ部２１等から入力された例えば操作者等の管理者の認識番号（ＩＤ番号）に基づいて通常又はセルフモードへの切り替えが可能であるか否かを確認する。例えば、商品情報メモリ５３には、通常又はセルフモードへの切り替えを許可する認識番号（許可ＩＤ番号）が予め記憶されている。アプリケーション切替機能は、外部から入力されたＩＤ番号と商品情報メモリ５３に記憶されている許可ＩＤ番号とを比較し、これらＩＤ番号が同一であれば通常又はセルフモードへの切り替えを許可し、同一でなければ通常又はセルフモードへの切り替えを不許可とする。
【００２４】
次に、上記の如く構成された装置のアプリケーションの切り替え動作について図９に示すアプリケーション切り替えフローチャートに従って説明する。  
通常モードに設定されていると、例えばキャッシャーは、商品に付されているデータコードをスキャナ２１の前方に配置する。スキャナ２１は、当該データコードを読み取る。登録・精算処理部機能は、スキャナ２１によって読み取られたデータコードと対応する商品名、単価、個数等から合計金額を算出し、お客との取引確定後に合計金額等をレシートプリンタ２３によりレシートに印字出力する。このとき、ディスプレイ２２には、上記図４に示すような通常モード時のチェックアウト処理画面Ｇが表示される。
【００２５】
通常モードからセルフモードに切り替える場合、例えば当該モードの切り替えを行う操作者のＩＤ番号がスキャナ２１により読み取られる。  
アプリケーション切替機能は、ステップＳ１において、スキャナ部２１等から入力されたＩＤ番号と商品情報メモリ５３に記憶されている許可ＩＤ番号とを比較し、読取られたＩＤ番号がメモリ５３内に一致する許可ＩＤ番号があれば通常又はセルフモードへの切り替えを許可し、一致する許可ＩＤ番号がなければ通常又はセルフモードへの切り替えを不許可とする。
【００２６】
セルフモードへの切り替えが許可されると、操作者は、図２に示すようにオペレータユニット部２０を一対のターンテーブル３０を介して本体ベース部１０上で矢印Ａ方向に回転させ、オペレータユニット部２０を通常モード時のポジションからセルフモード時のポジションに移動する。  
各ポジションセンサ４０、４１は、オペレータユニット部２０がセルフモード時のポジションに移動すると、当該セルフモード時のポジションを示すポジション信号を出力する。  
ポジション判定部５１−２は、ステップＳ２において、ポジションセンサ４０、４１から出力されるポジション信号を受け、このポジション信号からオペレータユニット部２０がセルフモード時のポジション又は通常モード時のポジションのいずれかにセッティングされたかを判定する。
【００２７】
この判定の結果、セルフモード時のポジションにセッティングされていると、アプリケーション切替機能は、ステップＳ３において、登録・精算処理機能により実行するチェックアウト処理のアプリケーションをセルフモードのアプリケーションに切り替える。これと共にアプリケーション切替機能は、ディスプレイ２２に表示するセルフモードに応じたチェックアウト処理画面、すなわち上記図５乃至図８に示すセルフモード時の各チェックアウト処理画面Ｓ１〜Ｓ４とに切り替える。
【００２８】
尚、スキャナ２２にて識別番号を読取る前に、操作者が先にオペレータユニット部２０を回転させた場合、ディスプレイ２２に「ＩＤカードを読取らせてください。」との警告を表示させる。ＩＤカードをスキャナ２１で読取ったと認識し、許可ＩＤ番号であると識別されれば、アプリケーション切替機能にて画面を切り替える。
【００２９】
図５に示すセルフモード時のチェックアウト処理画面Ｓ１には、例えば、お客にバーコードが付されている商品の登録の仕方のガイダンス、例えば「商品のバーコードをガラス面に近づけてください」等や絵柄が表示される。お客は、当該「商品のバーコードをガラス面に近づけてください」等や絵柄を見て商品のバーコードをスキャナ部２１のガラス面に近づけてバーコードを読み取らせることができる。
【００３０】
お客がチェックアウト処理画面Ｓ１における商品選択欄Ｋ２の商品、例えば「やさい」にタッチすると、登録・精算処理機能は、図６に示すチェックアウト処理画面Ｓ２を表示するので、お客は、ガイダンス「商品のボタンを押してください」に従ってやさい選択欄Ｋ６中から例えば「きゅうり」のボタンＦにタッチして選択できる。図７は「きゅうり」のボタンＦがタッチされたときの登録画面を示す。
【００３１】
お客がチェックアウト処理画面Ｓ１におけるお会計ボタンＫ５をタッチすると、登録・精算処理機能は、図８に示すセルフモード時のチェックアウト処理画面Ｓ４を表示するので、ガイダンス「お金を投入してください」に従ってお金をコイン投入部２４や紙幣投入・排出部２５に投入し、精算ボタンＫ１０にタッチすることにより精算ができる。
【００３２】
再度、セルフモードから通常モードへの切り替えが許可されると、操作者は、図２に示すようにオペレータユニット部２０を一対のターンテーブル３０を介して本体ベース部１０上で矢印Ａ方向に回転させ、オペレータユニット部２０をセルフモード時のポジションから通常モード時のポジションに移動する。アプリケーション切替機能は、登録・精算処理機能により実行するチェックアウト処理のアプリケーションを通常モードのアプリケーションに切り替え、かつディスプレイ２２に表示する通常モードに応じた図４に示すチェックアウト処理画面に切り替える。
【００３３】
尚、アプリケーションの切り替えとは、例えば、全く独立した異なるプログラムを切り替えるもの、バックグラウンドで動作しているアプリケーションは同一で、ディスプレイ２２に表示される機能が異なるものでもよい。セルフモードにおいて、ディスプレイ上にガイダンスを表示させ、その表示内容どおりにユーザが操作しない場合はエラーとする等、通常モードと異なる操作形態であれば、アプリケーションの切り替えと定義する。
【００３４】
このように上記一実施の形態によれば、オペレータユニット部２０がセルフモード時のポジション又は通常モード時のポジションのいずれかに停止したのかを判定し、この判定結果に応じて通常又はセルフモードとして使用するアプリケーションに切り替えるので、従来のようにキーボード中のファンクションキーを数回操作して通常又はセルフのチェックアウト処理に対応したアプリケーションに切り替えることなく、容易に当該アプリケーションに切り替えることができる。
【００３５】
セルフモードのチェックアウト処理アプリケーションは、通常モードのチェックアウト処理アプリケーションに対して例えば当該各チェックアウト処理画面Ｓ１における各絵柄や写真の処理や、上記図６乃至図８に示す各チェックアウト処理画面Ｓ２〜Ｓ４の処理等を追加して作成可能である。従って、アプリケーション切替機能は、セルフモード時に、当該モードのチェックアウト処理アプリケーションを実行し、通常モード時に、セルフモードのチェックアウト処理アプリケーションから通常モードに必要なアプリケーション部分のみを読み取ることによって通常モードのチェックアウト処理アプリケーションを実行することが可能である。これにより、セルフモードのチェックアウト処理アプリケーションのみを記憶しておけばよく、通常とセルフモードとの両アプリケーションを記憶する必要が無く、記憶容量を少なくできる。
【００３６】
本実施形態によれば、通常又はセルフのチェックアウトに対応したアプリケーションに容易に切り替えることができるチェックアウト処理装置及びチェックアウト処理プログラムを提供できる。
【００３７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００３８】
上記一実施の形態では、通常とセルフモードとのオペレータユニット部２０の回転角度として１８０°異なる各ポジションで停止するようになっているが、キャッシャー側とお客側との停止位置に応じてオペレータユニット部２０の回転角度は、９０°に設定してもよい。オペレータユニット部２０が回転して停止するポジションは、２箇所以上設定してもよい。例えば、店舗内のレジスタコーナに配置に応じてキャッシャー側とお客側との停止位置をそれぞれ複数個所に設定してもよい。
【符号の説明】
【００３９】
１０：本体ベース部（第２の端末本体）、２０：オペレータユニット部（第１の端末本体）、１１：買い物籠置き台、１２：商品袋詰め台、２１：スキャナ部、２２：ディスプレイ、２３：レシートプリンタ、２４：コイン投入部、２５：紙幣投入・排出部、２６：お釣排出部、２７：ポール、２８：報知ランプ、３０：ターンテーブル、３０ａ：ベース側ターンテーブル、３０ｂ：ユニット側ターンテーブル、２０ａ：オペレータユニット部の下面、４０，４１：ポジションセンサ、５０：制御処理部、５１：制御部、２２ａ：タッチパネル、５２：プログラムメモリ、５３：商品情報メモリ、Ｇ：通常モード時のチェックアウト処理画面、Ｓ１〜Ｓ４：セルフモード時の各チェックアウト処理画面。
【先行技術文献】
【特許文献】
【００４０】
【特許文献１】特開２００９−１８７０７８号公報
【図１】
2011191930.tif 000003
【図２】
2011191930.tif 000004
【図３】
2011191930.tif 000005
【図４】
2011191930.tif 000006
【図５】
2011191930.tif 000007
【図６】
2011191930.tif 000008
【図７】
2011191930.tif 000009
【図８】
2011191930.tif 000010
【図９】
2011191930.tif 000011